(57)【要約】【課題】内装トリムにおけるポケット構造であって、カップホルダ機能と小物入れ機能を備え、かつ小物入れ用スペースの増減が図れ、しかも、組付け作業性を向上させる。【解決手段】カップホルダ用スペース１２Ａと小物入れ用スペース１２Ｂとに区画する開閉リッド５０を回動可能に支持する取付ベース４０をポケットバックカバー２０に対して着脱自在に装着する。よって、開閉リッド５０閉鎖時には、小物入れ用スペース１２Ｂを拡大して比較的大型の物の収容を可能にするとともに、開閉リッド５０の開放時には、カップホルダ用スペース１２Ａと小物入れ用スペース１２Ｂとに区画でき、かつ開閉リッド５０に加わる過度の外力に対して取付ベース４０が外れることで、破損を未然に防止する。また、仕切り部材３０の交換や取り替えが簡単に行なえる。【選択図】図６
2005297585.tif 000002
【特許請求の範囲】
【請求項１】
車体パネルの室内面に装着される内装トリム（１０）に、ポケット開口（１２ａ）が開設され、その背面側にポケットバックカバー（２０）が取り付けられて、備品収容スペースを有するポケット（１２）が形成され、このポケット（１２）内に仕切り部材（３０）を付設してなる車両用ポケット構造であって、
前記仕切り部材（３０）は、ポケットバックカバー（２０）の内面に取り付けられる取付ベース（４０）と、上記取付ベース（４０）に回動可能に支持され、ポケットバックカバー（２０）の内面に格納される閉鎖時と、ポケット（１２）内に臨み、カップホルダ用スペース（１２Ａ）と小物入れ用スペース（１２Ｂ）とに区画する開放時との間で開閉される開閉リッド（５０）とから構成され、上記取付ベース（４０）がポケットバックカバー（２０）に着脱自在に取り付けられていることを特徴とする車両用ポケット構造。
【請求項２】
前記仕切り部材（３０）は、ポケットバックカバー（２０）の内面に凹設された仕切り部材収容凹部（２３）内に着脱自在に取り付けられ、格納時における開閉リッド（５０）の製品面がポケットバックカバー（２０）の内面とほぼ面一で、かつ連続感をもたせるように開閉リッド（５０）が設定されているとともに、上記仕切り部材収容凹部（２３）には、開閉リッド（５０）操作時の指掛かりとなる指掛かり部（２３ｂ）が延設されていることを特徴とする請求項１に記載の車両用ポケット構造。
【請求項３】
前記仕切り部材（３０）における開閉リッド（５０）の内面に重合し、上記開閉リッド（５０）の下縁に沿って設けたヒンジ部を基に下方向に回動可能で、かつ水平状態で保持される底板（６０）が開閉リッド（５０）に付設されていることを特徴とする請求項１又は２に記載の車両用ポケット構造。
【発明の詳細な説明】
【技術分野】
【０００１】
本発明は、車両用ポケット構造に係り、特に、ポケット内部に仕切り部材を配置することで、カップホルダ用スペースと小物入れ用スペースとを区画できるとともに、小物入れ用スペースの増減を可能にすることにより、使い勝手を高めた車両用ポケット構造に関する。
【背景技術】
【０００２】
図１３は、運転席側のドアパネル１を室内側から見た外観図を示すもので、ドアパネル１の車室内側には、内装トリムとしてドアトリム２が装着されている。このドアトリム２は、車室内の美観を向上させることに加えて、側突時等、撓み変形することで衝撃荷重の一部を吸収し、乗員の保護を図る機能を有する。
【０００３】
また、乗員の便宜を図るために、ドアトリム２の表面略中央部には、ドライバーが肘を掛けて休めるようにアームレスト３が設けられ、その下方には、各種備品、例えば、小物類、地図、雑誌類やカップ、ボトル等を収容できるドアポケット４が設けられている。
【０００４】
このドアポケット４としては、例えば、図１４，図１５に示すように、ドアトリム２にポケット開口４ａが開設され、このポケット開口４ａの背面側に樹脂成形体からなるポケットバックカバー５を取り付けて、ドアポケット４が形成される。具体的には、ドアトリム２の裏面に突設した取付用ボス２ａをポケットバックカバー５のフランジに設けた取付孔５ａ内に挿入して取付用ボス２ａの先端に超音波溶着加工を施すことにより、ポケット開口４ａの背面側にポケットバックカバー５を取り付けている。
【０００５】
そして、最近では、ポケットスペースとして、カップやボトルを収容するカップホルダ用スペース４Ａと、地図、雑誌類、小物等を収容する小物入れ用スペース４Ｂとに区画する仕切り壁６を設けることにより、乗員の便宜を図るというポケット構造が提案されている（例えば、特許文献１参照。）。
【０００６】
【特許文献１】特開平６−３４０２３４号公報（第２頁、図８，図１０）
【発明の開示】
【発明が解決しようとする課題】
【０００７】
このように、ドアポケット４を構成するポケットバックカバー５に仕切り壁６を一体化して、カップホルダ用スペース４Ａと小物入れ用スペース４Ｂとに区画した場合、仕切り壁６により小物入れ用スペース４Ｂの寸法（図中Ｌで示す）が決定されるため、カップ類を収容しない場合でも、小物入れ用スペース４Ｂ内には寸法Ｌより大型の物は収容できず、ドアポケット４の有効利用ができないという不具合が指摘されている。
【０００８】
この発明は、このような事情に鑑みてなされたもので、小物類とカップ類とを区画収容できることに加えて、カップ類の非収容時には、小物入れ用スペースを拡大することができ、小物入れ用スペースを増減させることでポケットの有効利用を図り、使い勝手を高めた車両用ポケット構造を提供することを目的としている。
【０００９】
この発明の更なる目的は、ポケットスペースを仕切り部材により区画している状態で仕切り部材に過度の応力が加わった時、仕切り部材等が破損することがなく、耐久性に優れ、しかも、仕切り部材をポケット側に簡単に組み付けることを可能にした実用性に富む車両用ポケット構造を提供することにある。
【課題を解決するための手段】
【００１０】
上記目的を達成するために、本発明は、車体パネルの室内面に装着される内装トリムに、ポケット開口が開設され、その背面側にポケットバックカバーが取り付けられて、備品収容スペースを有するポケットが形成され、このポケット内に仕切り部材を付設してなる車両用ポケット構造であって、前記仕切り部材は、ポケットバックカバーの内面に取り付けられる取付ベースと、上記取付ベースに回動可能に支持され、ポケットバックカバーの内面に格納される閉鎖時と、ポケット内に臨み、カップホルダ用スペースと小物入れ用スペースとに区画する開放時との間で開閉される開閉リッドとから構成され、上記取付ベースがポケットバックカバーに着脱自在に取り付けられていることを特徴とする。
【００１１】
ここで、内装トリムは、ドアトリム、リヤサイドトリム、ラゲージサイドトリム等に適用する。そして、この種内装トリムにポケットを形成するには、内装トリムにポケット開口を開設し、その背面側に合成樹脂成形体からなるポケットバックカバーを取り付けることで所定の収容スペースを有するポケットを形成できる。
【００１２】
ポケットバックカバーの固着手段としては、内装トリムの裏面側に取付用ボスを立設し、ポケットバックカバーのフランジに取付孔を開設し、取付用ボスを取付孔内に挿入した後、先端を超音波溶着カシメ、熱カシメ等によりカシメ接合するか、あるいはプッシュナット等の機械止め等により固着することで、ポケットバックカバーを内装トリム側に取り付ける。
【００１３】
次いで、ポケットバックカバーに着脱自在に取り付けられる仕切り部材は、取付ベースと、この取付ベースに回動可能に支持される開閉リッドの２部材からなる。取付ベース及び開閉リッド共、合成樹脂成形体を使用し、両者の軸受部にヒンジピンを介装することで、取付ベースに対して開閉リッドはほぼ９０°の回動角度で回動可能に支持される。
【００１４】
すなわち、開閉リッドの閉鎖時には、開閉リッドはポケットバックカバーの内面に格納されており、開閉リッドの開放時には、開閉リッドは格納時の状態から略９０°回動した、すなわち、ポケット内に起立状態となり、ポケット内をカップホルダ用スペースと小物入れ用スペースとに区画する。
【００１５】
そして、本発明によれば、仕切り部材における開閉リッドを開放操作すれば、ポケットスペース内でカップホルダ用スペースと小物入れ用スペースとを区画できるため、カップ、ペットボトルや地図、雑誌類、小物等を区画収容できる。また、開閉リッドの閉鎖位置、すなわち、ポケットバックカバーの内面に開閉リッドを格納すれば、小物入れ用スペースを拡大させることができ、大型の物をポケット内に収容することができる。
【００１６】
更に、本発明によれば、開閉リッドを回動可能に支持する取付ベースをポケットバックカバーの内面に着脱自在に装着するという構成を採用したため、例えば、開閉リッドが開放状態にある時、開閉リッドに対して過度の外力が加わった場合、取付ベースがポケットバックカバーから外れることで、仕切り部材やポケットバックカバーが破損するのを未然に防止できる。また、ポケットバックカバーに仕切り部材を簡単に装着することができるため、仕切り部材の交換並びに組み付けを簡単に行なえる。
【００１７】
次に、本発明の好ましい実施の態様としては、前記仕切り部材には、取付ベースと開閉リッドの接合部にスプリングを備えたカム機構が内蔵されていることにより、開閉リッドの閉鎖時には閉鎖方向に、開閉リッドの開放時には開放方向に付勢力が作用することを特徴とする。
【００１８】
そして、この実施の態様によれば、スプリングを備えたカム機構により、開閉リッドの閉鎖時には、閉鎖方向にバネ付勢される一方、開閉リッドの開放時には、開放方向にバネ付勢されるため、開閉リッドの操作において節度感のある操作が期待できる。
【００１９】
次に、本発明の更に好ましい実施の態様としては、前記仕切り部材は、ポケットバックカバーの内面に凹設された仕切り部材収容凹部内に着脱自在に取り付けられ、格納時における開閉リッドの製品面がポケットバックカバーの内面とほぼ面一で、かつ連続感をもたせるように開閉リッドが設定されているとともに、上記仕切り部材収容凹部には、開閉リッド操作時の指掛かりとなる指掛かり部が延設されていることを特徴とする。
【００２０】
そして、この実施の態様によれば、開閉リッドの表面が湾曲状に設定されているとともに、開閉リッドの格納時には、ポケットバックカバーの内面と略面一となるため、ポケットバックカバーの製品面と連続感をもたせることができ、手で触れても違和感がなく、かつ小物を収容した際に障害とならない。更に、開閉リッドを開放操作する際には、仕切り部材収容凹部に延設された指掛かり部を目安に簡単に開閉リッドの開放操作が行なえる。
【００２１】
次いで、本発明の好ましい実施の態様としては、前記仕切り部材における開閉リッドの内面に重合し、上記開閉リッドの下縁に沿って設けたヒンジ部を基に下方向に回動可能で、かつ水平状態で保持される底板が開閉リッドに付設されていることを特徴とする。
【００２２】
そして、この実施の態様によれば、開閉リッドの内面に上下方向に回動可能に底板が付設されているため、丈の低いカップ類等を底板上に載置することで、ペットボトルやドリンク缶等、高さの異なるカップ類の上端を揃えた収納が可能となる。
【００２３】
また、開閉リッドの下縁に底板を回動可能に取り付けた場合、ポケットバックカバー側にガイドリブを設けておけば、開閉リッドの閉鎖と連動して、底板がガイドリブにより上方に持ち上げられ、自動的に底板が開閉リッド内面に折り畳み収容される。
【発明の効果】
【００２４】
以上説明した通り、本発明に係る車両用ポケット構造によれば、仕切り部材における開閉リッドを開放操作すれば、カップホルダ用スペースと小物入れ用スペースとに区画できるとともに、開閉リッドを閉鎖すれば、小物入れ用スペースを拡大できるため、収容物の寸法に応じた有効利用が図れ、使い勝手を高めることができるという効果を有する。
【００２５】
更に、本発明に係る車両用ポケット構造によれば、仕切り部材における取付ベースがポケットバックカバーの内面に着脱自在に装着されるという構成であるため、例えば、開閉リッドの開放時、開閉リッドに過度の外力が加わった場合、取付ベースがポケットバックカバーから容易に外れ、仕切り部材やポケットバックカバーが破損するのを未然に防止できるとともに、仕切り部材の組み付け並びに仕切り部材の交換作業等を容易に行なえるという効果を有する。
【発明を実施するための最良の形態】
【００２６】
以下、本発明に係る車両用ポケット構造の実施例について、添付図面を参照しながら詳細に説明する。
【実施例１】
【００２７】
図１乃至図１０は本発明の第１実施例を示すもので、図１，図２において、ドライバーの側方に位置するドアパネル１の室内面側に内装トリムとしてのドアトリム１０が装着されている。このドアトリム１０は、ＰＰ，ＰＥ，ＡＢＳ等、汎用の合成樹脂の射出成形体、あるいはモールドプレス成形体から構成されており、所望ならば、表面に織布、不織布、合成樹脂シート等の表皮を貼付する積層構造にしても良い。
【００２８】
そして、このドアトリム１０のほぼ中央には、ドライバーが肘を掛けて休めるアームレスト１１が設けられており、その下方にドアポケット１２が形成されている。上記ドアポケット１２は、ドアトリム１０にポケット開口１２ａを開設するとともに、このポケット開口１２ａの背面側にこれも合成樹脂成形体からなるポケットバックカバー２０を取り付けて構成されている。
【００２９】
具体的には、ポケットバックカバー２０の周縁に沿ってフランジ２１が周設され、このフランジ２１に取付孔２２が開設されており、この取付孔２２にドアトリム１０の裏面に突設形成された取付用ボス１３を差し込み、取付用ボス１３の先端を超音波溶着カシメ、熱溶着カシメ等によりカシメ接合することで、ドアトリム１０におけるポケット開口１２ａの背面側にポケットバックカバー２０が取り付けられてドアポケット１２が形成される。
【００３０】
ところで、本発明に係るポケット構造は、このドアポケット１２内部に仕切り部材３０を着脱自在に取り付けたことが特徴である。まず、仕切り部材３０の構成について、図３乃至図５を用いて説明する。仕切り部材３０は、取付ベース４０と、この取付ベース４０に回動可能に支持される開閉リッド５０との２部材から構成されている。
【００３１】
図３（ａ）は、開閉リッド５０の閉鎖状態時の仕切り部材３０の外観図、図３（ｂ）は、開閉リッド５０の開放状態時の仕切り部材３０の外観図、図４（ａ）は、仕切り部材３０の正面図、図４（ｂ）は、仕切り部材３０の背面図、図５は、取付ベース４０と開閉リッド５０との関係を示す断面図をそれぞれ示している。
【００３２】
取付ベース４０並びに開閉リッド５０は、この実施例ではＰＰ樹脂の射出成形体から構成されているが、ＰＥ，ＡＢＳ樹脂等、汎用の合成樹脂を使用しても良い。そして、図３（ｂ）から明らかなように、取付ベース４０の上端及び下端にそれぞれ軸受部４１が形成され、この軸受部４１内にヒンジピン４２が挿通され、このヒンジピン４２は、開閉リッド５０のカム突起５１内にまで圧入されていることで、このヒンジピン４２を回転センターとして取付ベース４０に対して開閉リッド５０が回動可能に支持されている。
【００３３】
また、図５に示すように、取付ベース４０内には、断面略Ｕ字状のスプリング４３が内蔵されており、このスプリング４３のフリー端４３ａは、開閉リッド５０のカム突起５１に摺接しており、スプリング４３からのバネ力が開閉リッド５０の閉鎖時には閉鎖方向に、開放時には開放方向に働くようにスプリング４３とカム突起５１とでカム機構を構成している。尚、開閉リッド５０の開放状態時には、開閉リッド５０のストッパー部５２が取付ベース４０の受け突起４４に突き当たることで、開閉リッド５０のそれ以上の回動が阻止される。更に、開閉リッド５０の上縁に沿ってカップ類を確実に保持するための波型フランジ５３が設けられている。一方、図４（ｂ）に示すように、取付ベース４０のポケットバックカバー２０に対する取付面には、取付ベース４０の４隅部に係止片４５が形成され、中央にロケート用突起４６が形成されている。
【００３４】
次に、上述した構成の仕切り部材３０をポケットバックカバー２０に取り付ける構造について、図６を基に説明すると、ポケットバックカバー２０の内面には、仕切り部材３０を収容する仕切り部材収容凹部２３が形成されており、特に、取付ベース４０を嵌合する嵌合凹部２３ａが一段深く形成され、この嵌合凹部２３ａの底面に取付ベース４０の係止片４５を係着する矩形状の係止孔２４が開設され、嵌合凹部２３ａの底面中央にロケート用突起４６を差し込むロケート孔２５が開設されている。
【００３５】
従って、仕切り部材３０における取付ベース４０の係止片４５をポケットバックカバー２０における係止孔２４に係着することで、仕切り部材３０をワンタッチでポケットバックカバー２０に取り付けることができる。尚、仕切り部材収容凹部２３には、開閉リッド５０の閉鎖時、不快音の発生を防止するために、開閉リッド５０の開放端側と当接する部位にゴムパット２６が取り付けられている。更に、開閉リッド５０の開放操作を行なうための指掛かり部２３ｂが仕切り部材収容凹部２３に延設されている。
【００３６】
次に、上述した仕切り部材３０をポケットバックカバー２０に取り付けた使用形態について説明する。図７，図８は、開閉リッド５０の閉鎖状態での使用形態を示しており、開閉リッド５０の閉鎖時には、開閉リッド５０は、ポケットバックカバー２０の内面に格納されている。図８に示すように、取付ベース４０に内蔵したスプリング４３からのバネ圧が開閉リッド５０のカム突起５１に図８中Ａ矢印方向に加わり、開閉リッド５０は、ヒンジピン４２を回転センターとしているため、開閉リッド５０は、閉鎖方向にスプリング４３からのバネ付勢力が作用することになり、開閉リッド５０の閉鎖状態を確実に維持できることは勿論、節度感のある閉鎖が可能となる。
【００３７】
そして、開閉リッド５０を閉鎖した状態では、ドアポケット１２は、仕切り部材３０における開閉リッド５０がドアポケット１２内に臨まないため、地図、雑誌類、小物等、比較的寸法の大きな物をドアポケット１２内に収容することができる。
【００３８】
また、開閉リッド５０は、表面側が凹部面となるようにやや湾曲状に成形されており、ポケットバックカバー２０の内面と連続感をもつように形状設定されているため、開閉リッド５０を閉鎖した状態では、開閉リッド５０の表面はポケットバックカバー２０の内面とほぼ面一の連続曲面をなし、手で触れた際の違和感がなく、かつ突起もないため、備品の収容に支障を与えることがない。
【００３９】
次いで、図９，図１０は、開閉リッド５０をドアポケット１２内に起立させた開放時の状態を示すもので、閉鎖時の状態から指掛かり部２３ｂに指を差し入れれば、夜間時等においても簡単に開閉リッド５０を開放操作することができる。この開閉リッド５０の開放時においては、取付ベース４０におけるスプリング４３のバネ力は、図１０中Ｂ矢印方向に作用し、開閉リッド５０は、ヒンジピン４２を回転センターとしているから、開閉リッド５０は、開放方向にバネ付勢され、ストッパー部５２と受け突起４４との突き当てにより、起立状態で確実に保持されている。
【００４０】
従って、この開閉リッド５０により、カップホルダ用スペース１２Ａと小物入れ用スペース１２Ｂとにスペースを区画でき、特に、開閉リッド５０の波型フランジ５３を利用すれば、カップ類Ｃ等を確実に保持できる（図１０参照）。
【００４１】
そして、この開閉リッド５０の開放状態時、この開閉リッド５０に図９中Ｐ１，Ｐ２等の外力が加わった場合、例えば、ペットボトル等の収容時、開閉リッド５０の上縁にぶつかったり（Ｐ１の外力）、あるいは収容されているドリンク缶等を手前側に引き寄せる時に開閉リッド５０の内面にぶつかる（Ｐ２の外力）等が考えられるが、取付ベース４０は、ポケットバックカバー２０に対して着脱自在に装着されるという構成であるため、係止片４５の係着力以上の外力が加わった際、仕切り部材３０がポケットバックカバー２０から外れることで、それ以上の外力の負荷を避けることにより、仕切り部材３０及びポケットバックカバー２０の破損を未然に防止することができる。
【００４２】
このように、第１実施例における仕切り部材３０を使用したドアポケット１２の構造は、開閉リッド５０の開閉操作により、ドアポケット１２のポケットスペースをカップホルダ用スペース１２Ａと小物入れ用スペース１２Ｂとに区画できることは勿論、小物入れ用スペース１２Ｂを増減することができる等、ドアポケット１２の使い勝手を高めることができるとともに、特に、取付ベース４０をポケットバックカバー２０に対して着脱自在に取り付けることで、開閉リッド５０に外力が加わった時に、仕切り部材３０それ自体が外れることで、それ以上の外力の負荷を避けて、仕切り部材３０やポケットバックカバー２０の破損を未然に防止できるという利点がある。
【００４３】
加えて、波型フランジ５３の形状を変更して、別の仕切り部材３０と自由に交換することも可能であり、また、仕切り部材３０の組付け作業もポケットバックカバー２０に対してワンタッチで組み付けることができる等、交換作業並びに組付け作業においても作業性に優れるという効果がある。
【実施例２】
【００４４】
図１１，図１２は、本発明の第２実施例を示している。尚、第１実施例と同一部分には同一符号を付し説明は省略する。この第２実施例においては、仕切り部材３０は、取付ベース４０と、取付ベース４０に回動可能に支持される開閉リッド５０と、開閉リッド５０の内面に折り畳み収容され、開閉リッド５０の下縁をヒンジ部として上下に展開可能な底板６０の３部材から構成されている。
【００４５】
上記開閉リッド５０と底板６０との関係は、開閉リッド５０の下縁に軸受部５４を設け、これと対応するように底板６０の一方縁部に軸受部６１を形成し、双方の軸受部５４，６１にヒンジピン５５を圧入することで、底板６０は、図１１に示す開閉リッド５０の内面に格納された状態と、図１２に示す底板６０の展開状態との間で略９０°の回動角度で回動可能に開閉リッド５０に支持されている。
【００４６】
この開閉リッド５０と底板６０に対する関係も、取付ベース４０に対する開閉リッド５０の関係と同様、スプリングを内蔵したカム機構を配することで、底板６０が開閉リッド５０に格納状態で付勢され、かつ図１２に示すように、底板６０を水平状態で保持できるという構成を採用するのが好ましい。
【００４７】
そして、第２実施例における仕切り部材３０を使用したポケット構造の使用形態について説明すると、まず、図１１に示すように、開閉リッド５０を閉鎖状態から開放操作する。次いで、開閉リッド５０の内面に重合している底板６０を図１２に示すように矢印方向に押し下げれば、底板６０を固定することができ、この底板６０上にドリンク缶等、比較的丈の短いカップ類を収容することで、ペットボトル、ドリンク缶等、複数の種類のカップ類を整然と収容することができる。
【００４８】
また、底板６０を開閉リッド５０に折り畳んで更に開閉リッド５０を閉鎖する時には、ポケットバックカバー２０に弓状のガイドリブ２７を付設しておけば、開閉リッド５０の閉鎖時、底板６０の縁部がガイドリブ２７にガイドされて自動的に底板６０が開閉リッド５０の内面に重なり、その都度底板６０を上方に持ち上げる操作が不要となる。
【００４９】
そして、この第２実施例においても、開閉リッド５０の開閉操作により、ドアポケット１２内をカップホルダ用スペース１２Ａと小物入れ用スペース１２Ｂとに区画でき、更に、小物入れ用スペースを増減させることができるとともに、仕切り部材３０が着脱自在に装着されているため、過度の外力が開閉リッド５０に加わった場合、仕切り部材３０がポケットバックカバー２０から外れることで破損を防止できるという第１実施例と同様の作用効果を備えるとともに、特に、底板６０を付設することで、カップホルダとしての機能性をより高めることができる。
【産業上の利用可能性】
【００５０】
実施例１，実施例２は、ドライバー側シートの右横に位置するドアトリム１０のドアポケット１２の構造に適用したが、助手席側シートの左横に位置するドアトリムにおけるドアポケットに適用する際は左右対称状となるように設定すれば良く、また、ドアトリムの他にリヤサイドトリム、ワゴン車等のラゲージサイドトリム等のポケット構造に応用することができる。
【図面の簡単な説明】
【００５１】
【図１】本発明に係る車両用ポケット構造の第１実施例であるドアポケットを装備したドアトリムを示す外観図である。
【図２】図１中II−II線断面図である。
【図３】本発明に係る車両用ポケット構造の第１実施例に使用する仕切り部材を示す（ａ）開閉リッドを閉鎖した状態の外観図、（ｂ）開閉リッドを開放した状態の外観図である。
【図４】本発明に係る車両用ポケット構造の第１実施例に使用する仕切り部材の（ａ）正面図、（ｂ）背面図である。
【図５】図４（ａ）中V −V 線断面図である。
【図６】本発明に係る車両用ポケット構造の第１実施例における仕切り部材の取付構造を示す説明図である。
【図７】本発明に係る車両用ポケット構造の第１実施例であるドアポケットにおける開閉リッドの閉鎖時の状態を示す説明図である。
【図８】本発明に係る車両用ポケット構造の第１実施例であるドアポケットにおける開閉リッドの閉鎖時の状態を示す断面図である。
【図９】本発明に係る車両用ポケット構造の第１実施例であるドアポケットにおける開閉リッドの開放時の状態を示す説明図である。
【図１０】本発明に係る車両用ポケット構造の第１実施例であるドアポケットにおける開閉リッドの開放時の状態を示す断面図である。
【図１１】本発明に係る車両用ポケット構造の第２実施例の構成を示す説明図である。
【図１２】本発明に係る車両用ポケット構造の第２実施例の構成を示す説明図である。
【図１３】従来のドアポケットを備えたドアトリムを示す外観図である。
【図１４】従来のドアポケットの構成を示す説明図である。
【図１５】従来のドアポケットの構成を示す断面図である。
【符号の説明】
【００５２】
１０  ドアトリム
１２  ドアポケット
１２Ａ  カップホルダ用スペース
１２Ｂ  小物入れ用スペース
１２ａ  ポケット開口
２０  ポケットバックカバー
２１  フランジ
２２  取付孔
２３  仕切り部材収容凹部
２３ａ  取付ベース嵌合凹部
２３ｂ  指掛かり部
２４  係止孔
２５  ロケート孔
２６  ゴムパット
２７  ガイドリブ
３０  仕切り部材
４０  取付ベース
４１  軸受部
４２  ヒンジピン
４３  スプリング
４４  受け突起
４５  係止片
４６  ロケート用突起
５０  開閉リッド
５１  カム突起
５２  ストッパー部
５３  波型フランジ
５４  軸受部
５５  ヒンジピン
６０  底板
６１  軸受部
Ｃ  カップ類
【図１】
2005297585.tif 000003
【図２】
2005297585.tif 000004
【図３】
2005297585.tif 000005
【図４】
2005297585.tif 000006
【図５】
2005297585.tif 000007
【図６】
2005297585.tif 000008
【図７】
2005297585.tif 000009
【図８】
2005297585.tif 000010
【図９】
2005297585.tif 000011
【図１０】
2005297585.tif 000012
【図１１】
2005297585.tif 000013
【図１２】
2005297585.tif 000014
【図１３】
2005297585.tif 000015
【図１４】
2005297585.tif 000016
【図１５】
2005297585.tif 000017